(57)【要約】【課題】  接続ピンと高圧端子との接続不良を防ぐことができ、製品の歩留まりを向上させることのできる内燃機関用点火コイルを提供する。【解決手段】  一次コイル１４、この一次コイル１４と同心状の二次コイル１６、両コイル１４，１６を貫通する鉄心部１８からなるコイル−鉄心組立体１２を絶縁ケース２２内に収容するとともに、二次コイル１６の高圧端部に接続した接続ピン１７を絶縁ケース２２に設けた高圧端子２４に接触させ、絶縁ケース２２内に絶縁樹脂２５を充填してコイル−鉄心組立体１２を絶縁ケース２２内に固定する内燃機関用点火コイル１１において、接続ピン１７と高圧端子２４とを導電性接着剤３１で接続する。【選択図】  図１
2005286077.tif 000002
【特許請求の範囲】
【請求項１】
一次コイル、この一次コイルと同心状の二次コイル、前記両コイルを貫通する鉄心部からなるコイル−鉄心組立体を絶縁ケース内に収容するとともに、前記二次コイルの高圧端部に接続した接続ピンを前記絶縁ケースに設けた高圧端子に接触させ、前記絶縁ケース内に絶縁樹脂を充填して前記コイル−鉄心組立体を前記絶縁ケース内に固定する内燃機関用点火コイルにおいて、
前記接続ピンと前記高圧端子とを軟質導電性物質で接続する、
ことを特徴とする内燃機関用点火コイル。
【請求項２】
請求項１に記載の内燃機関用点火コイルにおいて、
前記軟質導電性物質を収容、保持する凹部を前記高圧端子に設けた、
ことを特徴とする内燃機関用点火コイル。
【請求項３】
請求項１または請求項２に記載の内燃機関用点火コイルにおいて、
前記軟質導電性物質は、導電性接着剤、導電性塗料、導電性グリス、スチールウールの１つである、
ことを特徴とする内燃機関用点火コイル。
【発明の詳細な説明】
【技術分野】
【０００１】
この発明は、自動車のエンジンなどの内燃機関の点火プラグに火花放電を発生させるための高電圧を供給する内燃機関用点火コイルに関するものである。
【背景技術】
【０００２】
図４は従来の内燃機関用点火コイルの一例を示す断面図である。
図４において、内燃機関用点火コイル１１は、コイル−鉄心組立体１２と、このコイル−鉄心組立体１２を収容する絶縁ケース２２と、この絶縁ケース２２のソケット部２２ｓに設けられた複数の一次端子２３と、絶縁ケース２２の高圧タワー部２２ｈに設けられた高圧端子２４と、絶縁ケース２２内に充填され、硬化することによって収容したコイル−鉄心組立体１２を絶縁ケース２２内に固定する絶縁樹脂２５とで構成されている。
【０００３】
上記したコイル−鉄心組立体１２は、一次コイルボビン１３と、この一次コイルボビン１３に巻回され、両端が別々の一次端子２３に接続された一次コイル１４と、この一次コイルボビン１３および一次コイル１４の外側に位置する二次コイルボビン１５と、この二次コイルボビン１５に一次コイル１４と同心状に巻回され、例えば、一端（低圧端部）が一次端子２３に接続された二次コイル１６と、この二次コイル１６の他端（高圧端部）に接続され、二次コイルボビン１５に取り付けられるとともに、先端が高圧端子２４に接触する接続ピン１７と、一次コイル１４および二次コイル１６を貫通し、一次コイル１４と二次コイル１６とを磁気的に接続する鉄心部１８とで構成されている。
【０００４】
そして、鉄心部１８は、一次コイル１４および二次コイル１６を貫通する直線鉄心部１９と、一次コイル１４および二次コイル１６の外側を囲み、直線鉄心部１９が内側に位置する環状鉄心部２０とで構成されている。
なお、直線鉄心部１９の一端と環状鉄心部２０との間には、磁気バイアスをかける永久磁石片２１が装填されている。
【特許文献１】特開平８−４５７５５号公報
【０００５】
この内燃機関用点火コイル１１の一次コイル１４に所定の電圧を印加してパルス状の電流を流すことにより、二次コイル１６に高電圧が発生し、この高電圧は、接続ピン１７、高圧端子２４などを介して図示を省略した点火プラグへ供給される。
【発明の開示】
【発明が解決しようとする課題】
【０００６】
しかしながら、接続ピン１７と高圧端子２４との接続は、接続ピン１７の弾性力による点接触で、接触面積が小さいため、組立時に接続ピン１７と高圧端子２４との接続不良が発生し、不良品となる可能性がある。
【課題を解決するための手段】
【０００７】
この発明は、以下のような発明である。
（１）一次コイル、この一次コイルと同心状の二次コイル、前記両コイルを貫通する鉄心部からなるコイル−鉄心組立体を絶縁ケース内に収容するとともに、前記二次コイルの高圧端部に接続した接続ピンを前記絶縁ケースに設けた高圧端子に接触させ、前記絶縁ケース内に絶縁樹脂を充填して前記コイル−鉄心組立体を前記絶縁ケース内に固定する内燃機関用点火コイルにおいて、前記接続ピンと前記高圧端子とを軟質導電性物質で接続することを特徴とする。
（２）（１）に記載の内燃機関用点火コイルにおいて、前記軟質導電性物質を収容、保持する凹部を前記高圧端子に設けたことを特徴とする。
（３）（１）または（２）に記載の内燃機関用点火コイルにおいて、前記軟質導電性物質は、導電性接着剤、導電性塗料、導電性グリス、スチールウールの１つであることを特徴とする。
【発明の効果】
【０００８】
この発明によれば、接続ピンと高圧端子とを軟質導電性物質で接続するので、接続ピンと高圧端子との接続不良を防ぐことができ、製品の歩留まりを向上させることができる。
そして、軟質導電性物質を収容、保持する凹部を高圧端子に設けたので、凹部に軟質導電性物質を収容、保持させて確実に留まらせることができ、接続ピンと高圧端子とを確実に接続することができる。
また、軟質導電性物質を導電性接着剤、導電性塗料、導電性グリス、スチールウールの１つとしたので、安価な材料でコストアップを抑えつつ、接続ピンと高圧端子とを確実に接続することができる。
【発明を実施するための最良の形態】
【０００９】
図１はこの発明の一実施例を示す要部の説明図で、図４と同一または相当部分に同一符号を付し、その説明を省略する。
図１において、３１は軟質導電性物質としての導電性接着剤を示し、接続ピン１７と高圧端子２４とを電気的に接続するものである。
【００１０】
この発明の図１に示す実施例のように、組立時に高圧端子２４の接続ピン１７側に導電性接着剤３１を配置する（設ける）ことにより、この導電性接着剤３１で接続ピン１７と高圧端子２４とを電気的に接続する。
したがって、接続ピン１７と高圧端子２４とが導電性接着剤３１を介して接続されることになり、接続ピン１７と高圧端子２４との接続不良を防ぐことができ、製品の歩留まりを向上させることができる。
そして、導電性接着剤３１という安価な材料でコストアップを抑えつつ、接続ピン１７と高圧端子２４とを確実に電気的に接続することができる。
【００１１】
図２はこの発明の他の実施例を示す要部の説明図で、図１および図４と同一または相当部分に同一符号を付し、その説明を省略する。
図２において、３２は軟質導電性物質としてのスチールウールを示し、接続ピン１７と高圧端子２４とを電気的に接続するものである。
【００１２】
この発明の図２に示す実施例のように、組立時に接続ピン１７の先端をスチールウール３２へ差し込む、すなわち、接続ピン１７の先端にスチールウール３２を配置する（設ける）ことにより、このスチールウール３２で接続ピン１７と高圧端子２４とを電気的に接続する。
したがって、接続ピン１７と高圧端子２４とがスチールウール３２を介して接続されることになり、接続ピン１７と高圧端子２４との接続不良を防ぐことができ、製品の歩留まりを向上させることができる。
そして、スチールウール３２という安価な材料でコストアップを抑えつつ、接続ピン１７と高圧端子２４とを確実に電気的に接続することができる。
【００１３】
図３はこの発明のさらに他の実施例を示す要部の説明図で、図１、図２および図４と同一または相当部分に同一符号を付し、その説明を省略する。
図３において、２４ｄは高圧端子２４の接続ピン１７側に設けた凹部を示し、軟質導電性物質としての導電性接着剤３１を収容、保持する部分である。
【００１４】
この発明の図３に示す実施例のように、組立時に凹部２４ｄ内に導電性接着剤３１を収容、保持させ、接続ピン１７の先端を凹部２４ｄ内へ挿入することにより、凹部２４ｄ内の導電性接着剤３２で接続ピン１７と高圧端子２４とを電気的に接続する。
したがって、接続ピン１７と高圧端子２４とが導電性接着剤３２を介して接続されることになり、接続ピン１７と高圧端子２４との接続不良を防ぐことができ、製品の歩留まりを向上させることができる。
そして、導電性接着剤３２を凹部２４ｄ内に収容、保持させたので、導電性接着剤３２を確実にその位置に留まらせることができ、接続ピン１７と高圧端子２４とを確実に電気的に接続することができる。
【００１５】
上記した実施例では、一次コイル１４の外側に二次コイル１６を配置した例を示したが、一次コイル１４の内側に二次コイル１６を配置してもよい。
また、直線鉄心部１９と環状鉄心部２０との間に永久磁石片２１を装填した例を示したが、永久磁石片２１は必ずしも装填する必要はない。
さらに、鉄心部１８を直線鉄心部１９と環状鉄心部２０とで構成した例を示したが、鉄心部１８は直線鉄心部１９のみで構成されていてもよい。
なお、軟質導電性物質の一例として導電性接着剤３１、スチールウール３２を示したが、この他、導電性塗料、導電性グリスを使用しても同様な効果を得ることができる。
そして、図２の実施例のように軟質導電性物質としてスチールウール３２を使用する場合、スチールウール３２を高圧端子２４に導電性接着剤３１で固定するのが好ましい。
【図面の簡単な説明】
【００１６】
【図１】この発明の一実施例を示す要部の説明図である。
【図２】この発明の他の実施例を示す要部の説明図ある。
【図３】この発明のさらに他の実施例を示す要部の説明図である。
【図４】従来の内燃機関用点火コイルの一例を示す断面図である。
【符号の説明】
【００１７】
１１    内燃機関用点火コイル
１２    コイル−鉄心組立体
１３    一次コイルボビン
１４    一次コイル
１５    二次コイルボビン
１６    二次コイル
１７    接続ピン
１８    鉄心部
１９    直線鉄心部
２０    環状鉄心部
２１    永久磁石片
２２    絶縁ケース
２２ｓ  ソケット部
２２ｈ  高圧タワー部
２３    一次端子
２４    高圧端子
２４ｄ  凹部
２５    絶縁樹脂
３１    導電性接着剤（軟質導電性物質）
３２    スチールウール（軟質導電性物質）
【図１】
2005286077.tif 000003
【図２】
2005286077.tif 000004
【図３】
2005286077.tif 000005
【図４】
2005286077.tif 000006